(57)【要約】【課題】ガス圧検査用接続口(31)に接続される継手本体(10)と、その下流側に気密状態に突設され且つ先端部にソケット(4)が脱着自在に接続可能なソケット接続部(2)を有するプラグ筒(20)とからなる検圧プラグ(1)において、不使用時には、継手本体(10)からのプラグ筒(20)の突出長さを短くでき、ガス圧検査時には、ソケット(4)の接続に必要な長さだけソケット接続部(2)を突出可能とすること。  【解決手段】プラグ筒(20)は、継手本体(10)内に進退自在に収納可能とし、ソケット(4)がソケット接続部(2)に接続可能となるようにプラグ筒(20)を継手本体(10)に対して最進出状態に突出させた状態にて、プラグ筒(20)の後退を阻止するロック手段(16)(22)が設けられていること。【選択図】図２
2008121725.tif 000002
【特許請求の範囲】
【請求項１】
ガス配管に設けられたガス圧検査用接続口に接続される継手本体と、前記継手本体の下流側に気密状態に突設され且つ先端部にソケットが脱着自在に接続可能なソケット接続部を有するプラグ筒とからなる検圧プラグにおいて、
前記プラグ筒は、前記継手本体内に進退自在に収納可能とし、
前記ソケットが前記ソケット接続部に接続可能となるように前記プラグ筒を前記継手本体に対して最進出状態に突出させた状態にて、前記プラグ筒の前記継手本体内への後退を阻止するロック手段が設けられていることを特徴とする検圧プラグ。
【請求項２】
請求項１に記載の検圧プラグにおいて、前記ロック手段は、前記継手本体の下流側開放端近傍の内周面に形成された雌ネジ部と、前記雌ネジ部よりも上流側に位置する前記プラグ筒の胴部外周面に形成され且つ前記雌ネジ部に螺合可能な雄ネジ部から構成されていることを特徴とする検圧プラグ。
【請求項３】
請求項１に記載の検圧プラグにおいて、前記ロック手段は、前記プラグ筒を前記継手本体から最進出状態に突出させた状態にて、前記継手本体から突出している前記プラグ筒の胴部の前記継手本体の下流側開放端に近接する外周面に周方向に沿って設けられた溝部と、前記溝部に一部突出状態に外嵌するＣ字状リングとからなることを特徴とする検圧プラグ。
【請求項４】
請求項１から３のいずれかに記載の検圧プラグにおいて、前記プラグ筒内には、前記ソケットの着脱によって開閉するプラグ弁と、前記プラグ弁を閉弁方向に付勢するバネが収納されており、
前記バネの基端部を受けるバネ受け部は前記プラグ筒の後端部近傍に固定されていると共に、前記バネ受け部のさらに後方には、ガス通過孔を介して後部弁体が一体的に設けられており、
前記プラグ筒を最後退位置に達するまで前記継手本体内に収納させたとき、前記後部弁体が密着する弁シート部が、前記継手本体の上流側開放端近傍の内周面に形成されていることを特徴とする検圧プラグ。
【請求項５】
請求項１から４のいずれかに記載の検圧プラグにおいて、前記継手本体の下流側開放端に、前記プラグ筒を抜け止め状態に保持するプラグ抜け止め手段が設けられていることを特徴とする検圧プラグ。
【請求項６】
請求項１から５のいずれかに記載の検圧プラグにおいて、前記プラグ筒が最後退位置に達するまで前記継手本体内に収納された状態にて、前記ソケット接続部の先端部分は前記継手本体から突出するように設定されていることを特徴とする検圧プラグ。
【請求項７】
請求項１から６のいずれかに記載の検圧プラグにおいて、前記プラグ筒を最後退位置に達するまで前記継手本体内に収納させた状態でのみ、前記継手本体の前記下流側開放端に密に装着可能な一方開放の筒状の保護キャップを設けたことを特徴とする検圧プラグ。
【発明の詳細な説明】
【技術分野】
【０００１】
本発明は、検圧プラグ、特に、ガスメータの下流側配管に設けられるガス圧検査用接続口に接続されて、ガス漏れ検査用のソケットが接続される検圧プラグに関する。
【背景技術】
【０００２】
図６は、ガスメータ(M)のガス流出口(35)と各家庭内へガスを送り込むための送り管(3)との間に連通接続させたＴ字状のガス配管(30)の下流側開放端の一方であるガス圧検査用接続口(31)に、ガス漏れ検査用のソケット(4)を接続させるための検圧プラグ(1)が装着された状態を示している。このものでは、ガス圧検査用接続口(31)は、ガスメータ(M)の前方に開放しており、ガス配管(30)の他方の下流側開放端であって、送り管(3)が接続される接続筒部(32)は後方に開放している。
【０００３】
検圧プラグ(1)は、図７に示すように、ガス配管(30)のガス圧検査用接続口(31)に、上流側開放端に形成されているネジ筒部(11)が螺合接続される継手本体(10)と、継手本体(10)の下流側開放端に一体的に螺合接続され且つ先端にソケットが着脱自在に接続可能なソケット接続部(2)を有するプラグ筒(20)とから構成されているもので、継手本体(10)の略中央部分には、ネジ筒部(11)をガス圧検査用接続口(31)に螺合接続させる際に、工具を対応させるための略六角形状の工具対応部(12)が張り出している。
【０００４】
検圧プラグ(1)はガス圧検査用接続口(31)に常時接続されており、ガスメータ(M)の前方へ突出した状態にある。そして、検圧プラグ(1)の不使用時には、ソケット接続部(2)に、保護キャップ(5)が被嵌されている。
検圧プラグ(1)を利用して、ガス配管(30)内のガス圧を検圧するには、まず、保護キャップ(5)を取り外し、ソケット接続部(2)にソケット(4)を接続する。
【０００５】
ソケット(4)は、図６に示すように、圧力測定装置(40)から延長するゴム管(41)の先端に接続されてあり、ソケット接続部(2)にソケット(4)を接続させることにより、プラグ筒(20)内のプラグ弁(21)を開弁させて、ガスメータ(M)のガス流出口(35)から送り管(3)へ流れるガスの圧力を圧力測定装置(40)によって測定することができる。このように、検圧プラグ(1)は、配管やガスメータ(M)からのガス漏れを検査する検査口として利用される。
【特許文献１】特開２００６−２９２４号公報
【特許文献２】特開平１０−６２２９３号公報
【発明の開示】
【発明が解決しようとする課題】
【０００６】
ところが、この従来の検圧プラグ(1)では、上述したように、プラグ筒(20)のソケット接続部(2)がガスメータ(M)の下流側のガス流出口(35)からガス配管(30)を介して、水平方向前方に突出するように取り付けられているから、屋外に設けられるガスメータ(M)を含む配管スペースが、ソケット接続部(2)の突出分だけ大きく設定されなければならない。特に、集合住宅の場合、配管スペースの省スペース化が要求されるから、水平方向に突出するソケット接続部(2)は省スペース化の障害となる。
【０００７】
本発明は、かかる点に鑑みてなされたものであり、『ガス配管に設けられたガス圧検査用接続口に接続される継手本体と、前記継手本体の下流側に気密状態に突設され且つ先端部にソケットが脱着自在に接続可能なソケット接続部を有するプラグ筒とからなる検圧プラグ』において、不使用時には、継手本体からのプラグ筒の突出長さを短く設定でき、且つ、ガス圧検査時には、ソケットの接続に必要な長さだけソケット接続部を継手本体から突出できるようにすることを課題とする。
【課題を解決するための手段】
【０００８】
（１）請求項１に係る発明の検圧プラグは、『前記プラグ筒は、前記継手本体内に進退自在に収納可能とし、
前記ソケットが前記ソケット接続部に接続可能となるように前記プラグ筒を前記継手本体に対して最進出状態に突出させた状態にて、前記プラグ筒の前記継手本体内への後退を阻止するロック手段が設けられていること』を特徴とするものである。
上記手段は次のように作用する。
不使用時には、プラグ筒を継手本体内に収納しておくことにより、ガス配管のガス圧検査用接続口から突出する検圧プラグの突出長さを最短に設定することができる。検圧作業等により検圧プラグを使用する際には、プラグ筒を継手本体から引き出して、ソケットがソケット接続部に接続可能な最進出状態に突出させる。このとき、ロック手段によって、前記プラグ筒を最進出状態のまま維持することができるから、ソケット接続時にプラグ筒がソケットに押されて継手本体内に埋没してしまうことはない。
【０００９】
（２）請求項１において、『前記ロック手段は、前記継手本体の下流側開放端近傍の内周面に形成された雌ネジ部と、前記雌ネジ部よりも上流側に位置する前記プラグ筒の胴部外周面に形成され且つ前記雌ネジ部に螺合可能な雄ネジ部から構成されている』ものでは、不使用時には、プラグ筒の雄ネジ部を、継手本体の雌ネジ部よりも上流側（後方）に位置させた状態でプラグ筒を継手本体内に収納することができる。検圧作業時にプラグ筒を継手本体から最進出状態に突出させた状態を維持させるには、前記プラグ筒を引き出して、プラグ筒の雄ネジ部を継手本体の雌ネジ部に螺合させる。螺合に伴って、前記プラグ筒は、継手本体の下流側開放端から突出していき、ソケット接続部に接続可能な最進出状態に達するまで突出させられたプラグ筒は、雄ネジ部と雌ネジ部との螺合によってその姿勢が維持され、ソケット等で押されても継手本体内へ後退することはない。
【００１０】
（３）請求項１において、『前記ロック手段は、前記プラグ筒を前記継手本体から最進出状態に突出させた状態にて、前記継手本体から突出している前記プラグ筒の胴部の前記継手本体の下流側開放端に近接する外周面に周方向に沿って設けられた溝部と、前記溝部に一部突出状態に外嵌するＣ字状リングとからなる』ものでは、プラグ筒を継手本体から最進出位置に達するまで引き出した状態にて、外部に露出しているプラグ筒の胴部外周面に設けられている溝部に、別途用意されているＣ字状リングを外嵌させる。Ｃ字状リングは溝部に嵌め込まれることにより、プラグ筒の胴部外周に、一部が前記溝部から突出した状態で固定される。これにより、プラグ筒が継手本体側へ押されても、プラグ筒の胴部に固定された前記Ｃ字状リングが継手本体の下流側開放端に当接することとなり、プラグ筒は継手本体内に押し込まれることがない。
【００１１】
（４）請求項１から３のいずれかにおいて、『前記プラグ筒内には、前記ソケットの着脱によって開閉するプラグ弁と、前記プラグ弁を閉弁方向に付勢するバネが収納されており、
前記バネの基端部を受けるバネ受け部は前記プラグ筒の後端部近傍に固定されていると共に、前記バネ受け部のさらに後方には、ガス通過孔を介して後部弁体が一体的に設けられており、
前記プラグ筒を最後退位置に達するまで前記継手本体内に収納させたとき、前記後部弁体が密着する弁シート部が、前記継手本体の上流側開放端近傍の内周面に形成されている』ものでは、プラグ筒内には、プラグ筒の先端開放部を開閉するプラグ弁が収納されており、プラグ筒の後端部近傍には、プラグ弁を閉弁方向に付勢するバネを受けるバネ受け部が固定されている。このバネ受け部に後部弁体が一体的に設けられており、プラグ筒の進退移動に伴って、前記後部弁体は継手本体内を進退移動する。そして、前記プラグ筒が最後退位置に達するまで継手本体内に押し込まれたとき、後方へ移動させられた後部弁体は、継手本体の上流側開放端近傍の内周面に形成されている弁シート部に密着する。これにより、プラグ筒へのガスの流れは遮断される。
【００１２】
（５）請求項１から４のいずれかに記載の検圧プラグにおいて、『前記継手本体の下流側開放端に、前記プラグ筒を抜け止め状態に保持するプラグ抜け止め手段が設けられている』ものでは、最進出状態にあるプラグ筒を継手本体からさらに引き出そうとしても、プラグ抜け止め手段によって阻止される。よって、プラグ筒は継手部材に対して最進出状態に保持されたまま、それ以上引き出されることはない。
【００１３】
（６）請求項１から５のいずれかに記載の検圧プラグにおいて、『前記プラグ筒が最後退位置に達するまで前記継手本体内に収納された状態にて、前記ソケット接続部の先端部分は前記継手本体から突出するように設定されている』ものでは、プラグ筒を最後退位置に達するまで継手本体内に収納した状態でも、プラグ筒の先端部分は継手本体から突出するように収納される態様となるから、プラグ筒を引き出す際に、前記先端部分を器具又は指で支持することができる。
【００１４】
（７）請求項１から６のいずれかに記載の検圧プラグにおいて、『前記プラグ筒を最後退位置に達するまで前記継手本体内に収納させた状態でのみ、前記継手本体の前記下流側開放端に密に装着可能な一方開放の筒状の保護キャップを設けた』ものでは、保護キャップは、プラグ筒を継手本体の下流側開放端から引き出した状態では継手本体に装着することができず、プラグ筒を最後退位置に達するまで継手本体内に収納した状態で初めて継手本体の下流側開放端に密に装着可能となるように、その軸線長さが設定されている。これにより、継手本体の下流側開放端に保護キャップを装着させた状態でも、ガス圧検査用接続口から水平方向に突出する突出長さを最短に設定することができる。さらに、請求項４に係る発明を適用すると、保護キャップの装着状態では後部弁体が閉弁状態となり、外部へのガス漏れを確実に防止することができる。
【発明の効果】
【００１５】
以上のように、請求項１に係る発明によれば、不使用時には、プラグ筒を継手本体内に収納させることができるから、ガスメータのガス流出口に接続されたガス配管のガス圧検査用接続口から水平方向に突出する検圧プラグの突出長さを最短に抑えることができる。よって、屋外に設置されるガスメータを含む配管スペースを省スペース化することができる。又、いたずらでプラグ筒を継手本体から引き出してソケットを接続しようとしても、プラグ筒はソケットに押されて継手本体内へ後退してしまい、ソケットをプラグ筒に装着させることができないので、いたずらが防止でき、安全性が向上する。
【００１６】
検圧プラグを実際に使用する際には、プラグ筒のソケット接続部を、ソケットが接続可能な長さまで継手本体から引き出した状態で、ロック手段を機能させれば、その引き出し長さを保持することができる。よって、ソケットをソケット接続部に確実に接続させることができる。
【００１７】
請求項２に係る発明によれば、ロック手段を機能させるには、プラグ筒の雄ネジ部を継手本体の雌ネジ部に後方から螺合させるだけで良いから、前記ロック手段のロック操作が容易である。又、プラグ筒を継手本体に収納させた状態では、プラグ筒の雄ネジ部は継手本体の雌ネジ部よりもガス配管の上流側（後方）に位置する構成となっているが、この状態から、プラグ筒が不用意に引き出された場合、プラグ筒の雄ネジ部の前端が、継手本体の雌ネジ部の後端に当接することとなるから、いたずらによって、プラグ筒が継手本体から引き出されて抜き取られる不都合を防止することができる。
【００１８】
請求項３に係る発明によれば、プラグ筒を継手本体から引き出し、プラグ筒の溝部が露出した時点で前記溝部にＣ字状リングを外嵌させれば、プラグ筒を、ソケットが接続可能な最進出状態に保持することができるので、ソケットの接続に必要な長さのソケット接続部を容易に且つ確実に継手本体から突出させることができる。
【００１９】
請求項４に係る発明によれば、プラグ筒を最後退位置にまで継手本体内に押し込んだ不使用状態にて、プラグ筒の後方に位置させた後部弁体が前記継手本体の弁シート部に密着して、ガス圧検査用接続口からプラグ筒内へのガスの流出を遮断することができるから、検圧プラグの不使用時に、配管内のガスが外部に漏れる不都合を確実に防止することができる。又、前記後部弁体は、プラグ筒と一体に進退移動し、プラグ弁とは無関係なので、いたずら等によりプラグ弁が押し込まれることがあっても、プラグ筒からガスが漏れることはない。よって、検圧プラグの安全性をさらに向上させることができる。
【００２０】
請求項５に係る発明によれば、継手本体の下流側開放端にプラグ抜け止め手段が設けられているから、プラグ筒を継手本体から最進出状態からさらに引き出そうとしても、プラグ抜け止め手段によって阻止され、プラグ筒が継手本体から抜け落ちることがない。
【００２１】
請求項６に係る発明によれば、ソケットを接続させるために、継手本体内に収納された状態にあるプラグ筒を継手本体から引き出す際に、継手本体から突出させているプラグ筒の先端部分を持ってプラグ筒を引っ張り出すことができるから、プラグ筒を最進出状態にセットし易い。
【００２２】
請求項７に係る発明によれば、プラグ筒に保護キャップを被嵌させた状態においても、請求項１に係る発明の効果と同様に、ガス圧検査用接続口から水平方向に突出する検圧プラグの突出長さを最短に抑えて、ガスメータの配管周りの省スペース化を実現することができる。さらに、保護キャップを継手本体の下流側開放端に密に装着させることによって、プラグ筒からのガスの流出を確実に防止することができる上に、プラグ筒は雨水や埃等からも確実に保護される。
【発明を実施するための最良の形態】
【００２３】
以下に、本発明を実施するための最良の形態について添付図面を参照しながら説明する。
本発明の実施の形態に係る検圧プラグ(1)は、図６に示したような、ガスメータ(M)のガス流出口(35)に接続させる三方開放のガス配管(30)のうち、ガスメータ(M)の前方に突出するガス圧検査用接続口(31)に接続させるもので、図１に示すように、ガス圧検査用接続口(31)に螺合接続される継手本体(10)と、前記継手本体(10)の下流側開放端(13)から前方へ突出するプラグ筒(20)とから構成されている。
【００２４】
継手本体(10)は金属製の筒体であり、上流側（図１では左側）の外周面には、前記ガス配管(30)のガス圧検査用接続口(31)に螺合接続させるための配管接続用雄ネジ部(14)が刻設されており、配管接続用雄ネジ部(14)の下流側に位置する継手本体(10)の略中央部には、前記配管接続用雄ネジ部(14)をガス配管(30)のガス圧検査用接続口(31)に螺合接続させる際に工具を対応させるための略六角形状の工具対応部(12)が張り出している。そして、工具対応部(12)のさらに下流側（図面では右側）の外周面には、後述する保護キャップ(5)を螺合させるための本体雄ネジ部(15)が形成されている。
【００２５】
又、下流側開放端(13)側の内周面には、雌ネジ部(16)が形成されており、前記雌ネジ部(16)の開放端側の一部に螺合するように、プラグ抜け止めリング(17)が下流側開放端(13)に螺合接続されている。
【００２６】
プラグ筒(20)は、一端に、ソケットが脱着自在に接続可能なソケット接続部(2)が形成された金属製筒体であり、前記ソケット接続部(2)の先端が下流側開放端(13)から突出するように継手本体(10)内に進退可能に収納されている。
【００２７】
プラグ筒(20)の略中央部には、前記雌ネジ部(16)に螺合可能な雄ネジ部(22)が突設されていると共に、上流側に位置するプラグ筒(20)の後部の外周にはＯリング(23)(23)が配設されており、継手本体(10)の工具対応部(12)よりも上流側の内周面に対して気密状態で摺動可能となっている。
【００２８】
プラグ筒(20)内には、プラグ筒(20)の先端開放部を開閉するプラグ弁(21)と、プラグ弁(21)を閉弁状態に付勢するコイルバネ(24)と、コイルバネ(24)の基端部を受けるバネ受け部(25)が収納されており、前記バネ受け部(25)は、プラグ筒(20)の前記後部の内面に螺合接続されて、プラグ筒(20)と一体となっている。又、バネ受け部(25)よりさらに上流側には、ガス通路(26)を介して、後部弁体(27)が前記バネ受け部(25)に一体的に設けられている。
【００２９】
前記後部弁体(27)は、後方に向かって縮径するテーパ部(27a)とその後端部に続き且つ外周面にＯリング(28)が配設されている軸部(27b)とから構成されている。尚、継手本体(10)の上流側開放端の内周面は、テーパ部(27a)及び軸部(27b)に対応するような大きさ形状に構成されており、テーパ部(27a)が密着するテーパ面部は、弁シート部(18)となっている。
【００３０】
図１は、不使用状態にある検圧プラグ(1)の部分断面図であり、プラグ筒(20)を最後退位置に達するまで継手本体(10)内に収納した状態を示している。
プラグ筒(20)が、最後退位置に達するまで継手本体(10)内に収納された状態においては、前記プラグ筒(20)は、雄ネジ部(22)が継手本体(10)の雌ネジ部(16)よりも上流側（後方）に位置するように継手本体(10)内に嵌め込まれていると共に、ソケット接続部(2)の先端部は継手本体(10)の下流側開放端(13)から突出した態様となっている。又、後部弁体(27)のテーパ部(27a)は、継手本体(10)の弁シート部(18)に密着すると共に、軸部(27b)のＯリング(28)が継手本体(10)の内周面に密接することから、継手本体(10)の上流側開放端(19)は気密状態に閉弁された状態となる。
【００３１】
これにより、検圧プラグ(1)の不使用時には、ガス配管(30)内のガスが検圧プラグ(1)内に流出することがなく、安全性が確保できる。又、万一、いたずら等により、プラグ弁(21)が、内方へ押されることがあっても、継手本体(10)の上流側開放端(19)は後部弁体(27)によって閉弁状態に維持されていることから、ガス配管(30)内のガスが検圧プラグ(1)を介して外部へ流出することはない。
【００３２】
プラグ筒(20)を継手本体(10)内に収納させた不使用状態においては、上述したように、プラグ弁(21)はコイルバネ(24)の付勢力によって閉弁方向に付勢されているが、ソケット接続部(2)の保護や継手本体(10)内の防水、防塵、さらには、いたずら防止等、より高い安全性を確保するために、ソケット接続部(2)に保護キャップ(5)を外嵌させている。
【００３３】
保護キャップ(5)は、継手本体(10)内に最後退位置に達するまでプラグ筒(20)を収納したときにのみ、工具対応部(12)よりも下流側の下流側開放端(13)及び下流側開放端(13)から突出するソケット接続部(2)の先端部分をちょうど被覆可能な軸線長さを有する一方開放の筒体であり、開放端の内周面に形成したキャップ雌ネジ部(50)を前記本体雄ネジ部(15)に螺合させることにより、下流側開放端(13)に接続される構成となっている。保護キャップ(5)の装着状態ではプラグ筒(20)は最後退位置にあり、後部弁体(27)が閉弁状態となっているため、外部へのガス漏れが確実に防止できる。
【００３４】
上述した検圧プラグ(1)を利用して、ガス配管(30)内のガス圧を検査するには、まず、保護キャップ(5)を、ネジを緩める方向に回動させて継手本体(10)の下流側開放端(13)から取り外し、継手本体(10)の下流側開放端(13)から露出しているプラグ筒(20)のソケット接続部(2)の先端に、工具又は指を引っ掛けてプラグ筒(20)を引き出す。そして、雄ネジ部(22)の前端が雌ネジ部(16)の後端に当接した時点で、プラグ筒(20)をネジの締め付け方向に回動させて、雄ネジ部(22)を雌ネジ部(16)に螺合させていく。雄ネジ部(22)を雌ネジ部(16)に螺合させるに連れてプラグ筒(20)は進出方向に移動していき、雄ネジ部(22)の先端がプラグ抜け止めリング(17)に当接した時点で、それ以上の進退方向への移動は阻止される。
【００３５】
この状態が、図２に示す、プラグ筒(20)の最進出状態であり、プラグ筒(20)は、ソケット(4)の接続に必要な長さだけソケット接続部(2)が継手本体(10)の下流側開放端(13)から突出すると同時に、後部弁体(27)のテーパ部(27a)は継手本体(10)の弁シート部(18)から離反して、継手本体(10)の上流側開放端(19)は開弁する。
【００３６】
ソケット接続部(2)にソケット(4)を接続させることによって、ソケット(4)内に設けられている押圧軸（図示せず）によってプラグ弁(21)が、図２の二点鎖線に示すように、後方へ移動させられて、ソケット接続部(2)の先端が開弁する。
これにより、ガス配管(30)内のガスは、継手本体(10)の上流側開放端(19)から継手本体(10)内へ流入し、ガス通路(26)からプラグ筒(20)内を通ってソケット接続部(2)の先端開放部へ流出し、ソケット(4)、ゴム管(41)を介して、圧力測定装置(40)へ送られていき、ガスメータ(M)からガス配管(30)へ送られてくるガスの圧力を測定することができる
【００３７】
尚、雄ネジ部(22)と雌ネジ部(16)との螺合により、その突出状態は維持され、プラグ筒(20)は不用意に後退することがないから、ソケット(4)の装着時に、ソケット接続部(2)はソケット(4)によって後方へ押されても、プラグ筒(20)は不用意に後退することない。よって、ソケット(4)をソケット接続部(2)に確実に接続させることができる。すなわち、雄ネジ部(22)と雌ネジ部(16)とが、プラグ筒(20)を継手本体(10)に対して最進出状態に突出させた状態にて、前記プラグ筒(20)の前記継手本体(10)内への後退を阻止するロック手段として機能することとなる。
【００３８】
図３は、不使用状態にある第２番目の実施の形態の検圧プラグ(1)のソケット接続部(2)の突出部分に保護キャップ(5)を被嵌させた状態を示す部分断面図であり、図４は、保護キャップ(5)が外され、ソケット接続部(2)が継手本体(10)の下流側開放端(13)から引き出された状態を示す部分断面図である。
この実施の形態のものでは、プラグ筒(20)を継手本体(10)に対して抜け止め状態に保持する抜け止め手段として、第１番目の実施の形態の場合と同様に、下流側開放端(13)にプラグ抜け止めリング(17)を螺合接続させていると共に、図４に示すように、プラグ筒(20)を最進出状態に引き出したときに、前記プラグ抜け止めリング(17)に当接する凸部(29)をプラグ筒(20)の胴部外表面に突設させている。
【００３９】
又、プラグ筒(20)のソケット接続部(2)を継手本体(10)の下流側開放端(13)から最進出状態に突出させた状態にて、前記プラグ筒(20)の継手本体(10)内への後退を阻止するロック手段として、プラグ筒(20)の継手本体(10)から露出している胴部の外周に断面略Ｖ字状の溝部(52)が形成されていると共に、前記溝部(52)に外嵌させる、図５に示すようなＣ字状リング(51)を具備させている。
【００４０】
溝部(52)は、ソケット(4)をソケット接続部(2)に接続させる際に、ソケット(4)内の抜け止め用ボール（図示せず）が嵌まり込む溝部(53)と同じ形状に形成されていると共に、前記Ｃ字状リング(51)の内周部の断面形状は、前記溝部(52)(53)に密に嵌め込み可能な断面形状に形成されている。
【００４１】
これにより、図４に示すように、プラグ筒(20)のソケット接続部(2)を継手本体(10)の下流側開放端(13)から引っ張り出して、溝部(52)が露出した時点で、奥側の溝部(52)にＣ字状リング(51)を外嵌させれば、Ｃ字状リング(51)は溝部(52)内で進退方向にずれることなく、プラグ筒(20)の胴部上で固定される態様となる。よって、この状態で、プラグ筒(20)が継手本体(10)側へ押されても、Ｃ字状リング(51)の後面がプラグ抜け止めリング(17)の前面に当接することとなって、プラグ筒(20)の後退方向の移動は阻止される。
尚、この突出状態が、ソケット接続部(2)にソケット(4)が接続可能なプラグ筒(20)の最進出状態となるように、プラグ筒(20)の胴部上における溝部(52)の形成位置を決定しておけば良い。
【００４２】
又、検圧プラグ(1)の不使用時には、図３に示すように、継手本体(10)の下流側開放端(13)からソケット接続部(2)の溝部(53)よりも先端が露出する態様でプラグ筒(20)は継手本体(10)内に収納されるものとし、この状態にて、Ｃ字状リング(51)を、ソケット接続部(2)の先端側の溝部(53)に外嵌装着しておけば良い。
【図面の簡単な説明】
【００４３】
【図１】第１番目の実施の形態の検圧プラグの不使用状態を示す部分断面図。
【図２】第１番目の実施の形態の検圧プラグの使用状態を示す部分断面図。
【図３】第２番目の実施の形態の検圧プラグの不使用状態を示す部分断面図。
【図４】第２番目の実施の形態の検圧プラグの使用状態を示す部分断面図。
【図５】第２番目の実施の形態の検圧プラグにロック手段として使用されるＣ字状リングの説明図。
【図６】ガスメータに取り付けられた検圧プラグを利用してガス圧を検査する様子を示す説明図。
【図７】従来の検圧プラグの説明図。
【符号の説明】
【００４４】
(1) ・・・・検圧プラグ
(10)・・・・継手本体
(2) ・・・・ソケット接続部
(20)・・・・プラグ筒
(30)・・・・ガス配管
(31)・・・・ガス圧検査用接続口
(4) ・・・・ソケット
(16)(22)・・ロック手段（雌ネジ部・雄ネジ部）
【図１】
2008121725.tif 000003
【図２】
2008121725.tif 000004
【図３】
2008121725.tif 000005
【図４】
2008121725.tif 000006
【図５】
2008121725.tif 000007
【図６】
2008121725.tif 000008
【図７】
2008121725.tif 000009